【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
装置本体と、
前記装置本体に着脱可能なカートリッジと、
前記カートリッジに設けられた感光体と、
前記感光体を露光する露光ユニットと、
前記カートリッジに配置された第１当接部と、
前記露光ユニットに設けられた位置決め部であって、前記位置決め部が前記第１当接部に当接することで前記感光体を露光する第１位置で前記露光ユニットを位置決めする位置決め部と、
前記カートリッジの枠体に配置された第２当接部と、
前記露光ユニットに設けられた被当接部と、を有する画像形成装置において、
前記第２当接部に前記被当接部が当接することで、前記位置決め部と前記第１当接部とが離間した第２位置で前記露光ユニットを位置決めすることを特徴とする画像形成装置。
【請求項２】
前記露光ユニットは、前記位置決め部が前記第１当接部と離間し、且つ、前記被当接部が前記第２当接部と離間した第３位置へ移動可能であることを特徴とする請求項１に記載の画像形成装置。
【請求項３】
前記装置本体に対して開閉可能な開閉部材を有し、前記開閉部材が前記装置本体に対して閉じた閉位置にある時、前記露光ユニットは前記第１位置又は前記第２位置にあり、前記開閉部材が前記装置本体に対して開いた開位置にある時、前記露光ユニットは前記第３位置にあることを特徴とする請求項２に記載の画像形成装置。
【請求項４】
前記開閉部材が開位置にある時、前記カートリッジを前記装置本体に対して着脱可能であることを特徴とする請求項３に記載の画像形成装置。
【請求項５】
前記露光ユニットは前記開閉部材に支持されていることを特徴とする請求項３に記載の画像形成装置。
【請求項６】
前記装置本体から取り外し可能な規制部材を有し、前記規制部材で前記カートリッジの位置を規制することで、前記第２当接部に前記被当接部が当接した状態を維持することを
特徴とする請求項１に記載の画像形成装置。
【請求項７】
前記装置本体に対して移動可能な、前記カートリッジを収容するトレイを有し、前記規制部材は、前記トレイの移動を規制することで前記カートリッジの位置を規制することを特徴とする請求項６に記載の画像形成装置。
【請求項８】
前記露光ユニットが前記第１位置にある時に、前記第１当接部に前記位置決め部を押圧する方向に前記露光ユニットを付勢する付勢部材を有することを特徴とする請求項１乃至７のいずれか一項に記載の画像形成装置。
【請求項９】
前記付勢部材は、前記露光ユニットが前記第２位置にある時に、前記第２当接部に前記被当接部を押圧する方向に前記露光ユニットを付勢することを特徴とする請求項８に記載の画像形成装置。
【請求項１０】
前記カートリッジの枠体は、前記位置決め部が前記第１当接部と接触するように前記露光ユニットの移動をガイドするガイド部を有することを特徴とする請求項１に記載の画像形成装置。
【請求項１１】
装置本体と、
前記装置本体に着脱可能なカートリッジと、
前記装置本体に対して移動可能な、前記カートリッジを収容するトレイと、
前記カートリッジに設けられた感光体と、
前記感光体を露光する露光ユニットと、
前記カートリッジに配置された第１当接部と、
前記露光ユニットに設けられた位置決め部であって、前記位置決め部が前記第１当接部に当接することで前記感光体を露光する第１位置で前記露光ユニットを位置決めする位置決め部と、
第２当接部と、
前記露光ユニットに設けられた被当接部と、
前記トレイの移動を規制することで前記カートリッジの位置を規制する規制部材と、
を有する画像形成装置において、
前記被当接部は、前記第２当接部に前記被当接部が当接することで、前記位置決め部と前記第１当接部とが離間した第２位置で前記露光ユニットを位置決めし、前記カートリッジの位置を規制する前記規制部材によって前記第２当接部に当接した状態に維持させることを特徴とする画像形成装置。
【請求項１２】
前記露光ユニットは、前記位置決め部が前記第１当接部と離間し、且つ、前記被当接部が前記第２当接部と離間した第３位置へ移動可能であることを特徴とする請求項１１に記載の画像形成装置。
【請求項１３】
前記第２当接部は前記カートリッジの枠体に配置されていることを特徴とする請求項１１または１２に記載の画像形成装置。
【請求項１４】
前記装置本体に対して開閉可能な開閉部材を有し、前記開閉部材が前記装置本体に対して閉じた閉位置にある時、前記露光ユニットは前記第１位置又は前記第２位置にあり、前記開閉部材が前記装置本体に対して開いた開位置にある時、前記露光ユニットは前記第３位置にあることを特徴とする請求項１２に記載の画像形成装置。
【請求項１５】
前記開閉部材が開位置にある時、前記カートリッジを前記装置本体に対して着脱可能であることを特徴とする請求項１４に記載の画像形成装置。
【請求項１６】
前記露光ユニットは前記開閉部材に支持されていることを特徴とする請求項１４に記載の画像形成装置。
【請求項１７】
前記露光ユニットが前記第１位置にある時に、前記第１当接部に前記位置決め部を押圧する方向に前記露光ユニットを付勢する付勢部材を有することを特徴とする請求項１１乃至１６のいずれか一項に記載の画像形成装置。
【請求項１８】
前記付勢部材は、前記露光ユニットが前記第２位置にある時に、前記第２当接部に前記被当接部を押圧する方向に前記露光ユニットを付勢することを特徴とする請求項１７に記載の画像形成装置。
【手続補正２】
【補正対象書類名】明細書
【補正対象項目名】０００６
【補正方法】変更
【補正の内容】
【０００６】
上記目的を達成するために、本発明に係る画像形成装置は、
装置本体と、
前記装置本体に着脱可能なカートリッジと、
前記カートリッジに設けられた感光体と、
前記感光体を露光する露光ユニットと、
前記カートリッジに配置された第１当接部と、
前記露光ユニットに設けられた位置決め部であって、前記位置決め部が前記第１当接部に当接することで前記感光体を露光する第１位置で前記露光ユニットを位置決めする位置決め部と、
前記カートリッジの枠体に配置された第２当接部と、
前記露光ユニットに設けられた被当接部と、を有する画像形成装置において、
前記第２当接部に前記被当接部が当接することで、前記位置決め部と前記第１当接部とが離間した第２位置で前記露光ユニットを位置決めすることを特徴とする。
また、上記目的を達成するために、本発明に係る画像形成装置は、
装置本体と、
前記装置本体に着脱可能なカートリッジと、
前記装置本体に対して移動可能な、前記カートリッジを収容するトレイと、
前記カートリッジに設けられた感光体と、
前記感光体を露光する露光ユニットと、
前記カートリッジに配置された第１当接部と、
前記露光ユニットに設けられた位置決め部であって、前記位置決め部が前記第１当接部に当接することで前記感光体を露光する第１位置で前記露光ユニットを位置決めする位置決め部と、
第２当接部と、
前記露光ユニットに設けられた被当接部と、
前記トレイの移動を規制することで前記カートリッジの位置を規制する規制部材と、
を有する画像形成装置において、
前記被当接部は、前記第２当接部に前記被当接部が当接することで、前記位置決め部と前記第１当接部とが離間した第２位置で前記露光ユニットを位置決めし、前記カートリッジの位置を規制する前記規制部材によって前記第２当接部に当接した状態に維持させることを特徴とする。